(57)【要約】【課題】アクセスポイントとの接続を容易且つ適切にできるようにする。【解決手段】周囲のアクセスポイントからビーコンを受信する無線通信部２０と、接続対象のアクセスポイントとの間で用いる暗号化のセキュリティキーの入力を受け付ける入出力処理部１３ａと、セキュリティキーに基づいて、アクセスポイントとの接続で使用可能な暗号化を用いる複数の通信方法の中から、アクセスポイントとの通信に用いる通信方法を決定し、受信したアクセスポイントの識別情報と、決定された通信方法とを用いてアクセスポイントとの通信を行う通信処理部１３ｃとを有するように構成する。【選択図】図１
2011139238.tif 000002
【特許請求の範囲】
【請求項１】
無線によりアクセスポイントと接続を行って通信を行う無線通信装置であって、
前記アクセスポイントの識別情報を含むビーコンを受信するビーコン受信手段と、
前記接続対象のアクセスポイントとの間で用いる暗号化のセキュリティキーの入力を受け付けるキー入力受付手段と、
前記セキュリティキーに基づいて、前記アクセスポイントとの接続で使用可能な暗号化を用いる複数の通信方法の中から、前記アクセスポイントとの通信に用いる通信方法を決定する通信方法決定手段と、
受信した前記アクセスポイントの識別情報と、決定された前記通信方法とを用いて前記アクセスポイントとの通信を行う通信制御手段と
を有する無線通信装置。
【請求項２】
前記通信方法決定手段は、前記アクセスポイントとの間で使用可能な暗号化を用いる複数の通信方法の中から、前記セキュリティキーのキー長が前記暗号化に有効である通信方法を決定する
請求項１に記載の無線通信装置。
【請求項３】
前記通信方法決定手段は、セキュリティ強度が高い暗号化を用いる通信方法から順番に、アクセスポイントとの通信に用いる通信方法に決定する
請求項１又は請求項２に記載の無線通信装置。
【請求項４】
アクセスポイントとの接続に成功したことのある通信方法を記憶する記憶手段を更に有し、
前記通信方法決定手段は、前記記憶手段に記憶された通信方法を優先して、前記アクセスポイントとの通信に用いる通信方法に決定する
請求項１乃至請求項３のいずれか一項に記載の無線通信装置。
【請求項５】
ユーザーから前記アクセスポイントとの接続に利用する通信方法の指定を受け付ける通信方法受付手段を更に有し、
前記通信方法決定手段は、前記通信方法の指定を受け付けた場合には、受け付けた前記通信方法を前記アクセスポイントとの通信に用いる通信方法に決定し、前記通信方法の指定を受け付けていない場合には、前記セキュリティキーとに基づいて、前記アクセスポイントとの接続で使用可能な暗号化を用いる複数の通信方法の中から、前記アクセスポイントとの通信に用いる通信方法を決定する
請求項１乃至請求項４のいずれか一項に記載の無線通信装置。
【請求項６】
受信したビーコンに含まれるアクセスポイントの識別情報を表示する識別情報表示手段と、
ユーザーから接続対象のアクセスポイントの識別情報の選択を受け付ける選択受付手段とを更に有し、
前記通信制御手段は、前記選択された前記アクセスポイントの識別情報を用いて前記アクセスポイントとの通信を行う
請求項１乃至請求項５のいずれか一項に記載の無線通信装置。
【請求項７】
前記識別情報表示手段は、前記ビーコン受信手段により、同一の識別情報が対応付けられた複数種類のビーコンが受信された場合に、前記識別情報を１つの選択対象として表示させる
請求項６に記載の無線通信装置。
【請求項８】
無線によりアクセスポイントと接続を行って通信を行う無線通信装置による無線通信方法であって、
前記無線通信装置のビーコン受信手段が、前記アクセスポイントの識別情報を含むビーコンを受信するビーコン受信ステップと、
前記無線通信装置のキー入力受け付け手段が、前記接続対象のアクセスポイントとの間で用いる暗号化のセキュリティキーの入力を受け付けるキー入力受付ステップと、
前記無線通信装置の通信方法決定手段が、前記セキュリティキーに基づいて、前記アクセスポイントとの接続で使用可能な暗号化を用いる複数の通信方法の中から、前記アクセスポイントとの通信に用いる通信方法を決定する通信方法決定ステップと、
前記無線通信装置の通信制御手段が、受信した前記アクセスポイントの識別情報と、決定された前記通信方法とを用いて前記アクセスポイントとの通信を行う通信制御ステップと
を有する無線通信方法。
【請求項９】
無線によりアクセスポイントと接続を行って通信を行うコンピューターに実行させる無線通信プログラムであって、
前記コンピューターを、
周囲のアクセスポイントから少なくとも前記アクセスポイントの識別情報を含むビーコンを受信するビーコン受信手段と、
前記接続対象のアクセスポイントとの間で用いる暗号化のセキュリティキーの入力を受け付けるキー入力受付手段と、
前記セキュリティキーに基づいて、前記アクセスポイントとの接続で使用可能な暗号化を用いる複数の通信方法の中から、前記アクセスポイントとの通信に用いる通信方法を決定する通信方法決定手段と、
受信した前記アクセスポイントの識別情報と、決定された前記通信方法とを用いて前記アクセスポイントとの通信を行う通信制御手段と
して機能させる無線通信プログラム。
【発明の詳細な説明】
【技術分野】
【０００１】
本発明は、無線によりアクセスポイントと接続を行って通信を行う無線通信装置等に関する。
【背景技術】
【０００２】
例えば、ＰＣ（Personal Computer）等に、ネットワークに接続されたアクセスポイントと無線接続するための無線通信部が内蔵又は、接続されている無線通信装置が知られている。このようなＰＣにおいては、アクセスポイントを介して、インターネット等のネットワークに接続し、種々のデータの送受信が行われている。
【０００３】
ＰＣと、アクセスポイントとの間の通信におけるセキュリティを確保するために、アクセスポイントとの間の通信方法として、ＷＥＰ（Wired Equivalent Privacy）、ＡＥＳ（Advanced Encryption Standard）、ＴＫＩＰ（Temporal Key Integrity Protocol）等の暗号化を用いた複数の通信方法が知られている。
【０００４】
このような通信方法を利用するためには、ＰＣ側において、接続するアクセスポイントのＳＳＩＤ（Service Set ID）と、使用する通信方法と、その通信方法において使用するセキュリティキーとを設定しておく必要がある。
【０００５】
例えば、新たなアクセスポイントに接続するためには、これらＳＳＩＤ、通信方法、セキュリティキー等をユーザーが予め把握しておくことが必要である。
【０００６】
特許文献１には、暗号化方法を含む無線ネットワークタイプを自動検出する技術が開示されている。
【先行技術文献】
【特許文献】
【０００７】
【特許文献１】特開２００５−１７６３２０号公報
【発明の概要】
【発明が解決しようとする課題】
【０００８】
上記した特許文献１の技術によると、無線ネットワークにおけるタイプを把握することができ、例えば、同一のＳＳＩＤのアクセスポイントが複数存在する場合においては、各アクセスポイントの無線ネットワークにおけるタイプを把握することができる。
しかしながら、いずれのアクセスポイントに接続すべきかについては、ユーザー自身が判断しなければならず、無線ネットワークのタイプに対して理解のないユーザーにとっては、いずれのアクセスポイントを接続先とすればよいのかの判断が困難であるという問題がある。また、このような場合に限らず、一般的に、通信の設定に不慣れなユーザーにとっては、アクセスポイントに接続するための通信方法を設定することが困難である。
【０００９】
本発明は、上記課題に鑑みなされたものであり、その目的は、アクセスポイントとの接続を容易且つ適切にできる技術を提供することにある。
【課題を解決するための手段】
【００１０】
上記目的達成のため、本発明の第１の観点に係る無線通信装置は、無線によりアクセスポイントと接続を行って通信を行う無線通信装置であって、アクセスポイントの識別情報を含むビーコンを受信するビーコン受信手段と、接続対象のアクセスポイントとの間で用いる暗号化のセキュリティキーの入力を受け付けるキー入力受付手段と、セキュリティキーに基づいて、アクセスポイントとの接続で使用可能な暗号化を用いる複数の通信方法の中から、アクセスポイントとの通信に用いる通信方法を決定する通信方法決定手段と、受信したアクセスポイントの識別情報と、決定された通信方法とを用いてアクセスポイントとの通信を行う通信制御手段とを有する。係る無線通信装置によると、ユーザーからセキュリティキーの入力を受け付けると、セキュリティキーを用いて、複数の通信方法の中からアクセスポイントとの通信に用いる通信方法を決定し、決定された通信方法を用いてアクセスポイントとの通信を行うことができる。したがって、ユーザーは、アクセスポイントとの通信方法を把握せずとも、容易且つ適切にアクセスポイントとの接続を行うことができる。
【００１１】
上記無線通信装置において、通信方法決定手段は、アクセスポイントとの間で使用可能な暗号化を用いる複数の通信方法の中から、セキュリティキーのキー長が暗号化に有効である通信方法を決定するようにしてもよい。係る無線通信装置によると、セキュリティキーのキー長により候補となる通信方法を迅速に決定することができる。
【００１２】
また、上記無線通信装置において、通信方法決定手段は、セキュリティ強度が高い暗号化を用いる通信方法から順番に、アクセスポイントとの通信に用いる通信方法に決定するようにしてもよい。係る無線通信装置によると、アクセスポイントのセキュリティ強度をできるだけ高くするように運用されている環境下において、迅速にアクセスポイントとの通信を行うことができる。
【００１３】
また、上記無線通信装置において、アクセスポイントとの接続に成功したことのある通信方法を記憶する記憶手段を更に有し、通信方法決定手段は、記憶手段に記憶された通信方法を優先して、アクセスポイントとの通信に用いる通信方法として決定するようにしてもよい。係る無線通信装置によると、同一のセキュリティレベルに保たれている環境下において、異なるアクセスポイントへ迅速に接続を行うことができる。
【００１４】
また、上記無線通信装置において、ユーザーからアクセスポイントとの通信に利用する通信方法の指定を受け付ける通信方法受付手段を更に有し、通信方法決定手段は、通信方法の指定を受け付けた場合には、受け付けた通信方法によりアクセスポイントとの接続を行い、通信方法の指定を受け付けていない場合には、セキュリティキーとに基づいて、アクセスポイントとの接続で使用可能な暗号化を用いる複数の通信方法の中から、アクセスポイントとの通信に用いる通信方法を決定するようにしてもよい。係る無線通信装置においては、ユーザーが通信方法を把握している場合には、当該通信方法によるアクセスポイントへの通信を迅速に行うことができる。
【００１５】
また、上記無線通信装置において、受信したビーコンに含まれるアクセスポイントの識別情報を表示する識別情報表示手段と、ユーザーから接続対象のアクセスポイントの識別情報の選択を受け付ける選択受付手段とを更に有し、通信制御手段は、選択されたアクセスポイントの識別情報を用いてアクセスポイントとの通信を行うようにしてもよい。係る無線通信装置によると、ユーザーは表示されたアクセスポイントの識別情報から、所望のアクセスポイントの識別情報を選択することにより、容易に当該アクセスポイトとの通信を行うことができる。
【００１６】
また、上記無線通信装置において、識別情報表示手段は、ビーコン受信手段により、同一の識別情報が対応付けられた複数種類のビーコンが受信された場合に、識別情報を１つの選択対象として表示させるようにしてもよい。係る無線通信装置によると、同一の識別情報が対応付けられている複数のアクセスポイントがある場合であっても、選択対象として１つの識別情報を表示させるので、ユーザーに対して同一の識別情報の複数のアクセスポイントからの選択を意識させることがないので、ユーザーに不要な混乱を与えることがない。
【００１７】
また、上記目的達成のため、本発明の第２の観点に係る無線通信方法は、無線によりアクセスポイントと接続を行って通信を行う無線通信装置による無線通信方法であって、無線通信装置のビーコン受信手段が、アクセスポイントの識別情報を含むビーコンを受信するビーコン受信ステップと、無線通信装置のキー入力受け付け手段が、接続対象のアクセスポイントとの間で用いる暗号化のセキュリティキーの入力を受け付けるキー入力受付ステップと、無線通信装置の通信方法決定手段が、セキュリティキーに基づいて、アクセスポイントとの接続で使用可能な暗号化を用いる複数の通信方法の中から、アクセスポイントとの通信に用いる通信方法を決定する通信方法決定ステップと、無線通信装置の通信制御手段が、決定された通信方法を用いてアクセスポイントとの接続を行う通信制御ステップとを備える。係る無線通信方法によると、ユーザーからセキュリティキーの入力を受け付けると、セキュリティキーを用いて、複数の通信方法の中からアクセスポイントとの通信に用いる通信方法を決定し、決定された通信方法を用いてアクセスポイントとの通信を行うことができる。したがって、ユーザーは、アクセスポイントとの通信方法を把握せずとも、容易且つ適切にアクセスポイントとの通信を行うことができる。
【００１８】
また、上記目的達成のため、本発明の第３の観点に係る無線通信プログラムは、無線によりアクセスポイントと接続を行って通信を行うコンピューターに実行させる無線通信プログラムであって、コンピューターを、アクセスポイントの識別情報を含むビーコンを受信するビーコン受信手段と、接続対象のアクセスポイントとの間で用いる暗号化のセキュリティキーの入力を受け付けるキー入力受付手段と、セキュリティキーに基づいて、アクセスポイントとの接続で使用可能な暗号化を用いる複数の通信方法の中から、アクセスポイントとの通信に用いる通信方法を決定する通信方法決定手段と、受信したアクセスポイントの識別情報と、決定された通信方法とを用いて前記アクセスポイントとの通信を行う通信制御手段として機能させる。係る無線通信プログラムを実行するコンピューターによると、ユーザーからセキュリティキーの入力を受け付けると、セキュリティキーを用いて、複数の通信方法の中からアクセスポイントとの通信に用いる通信方法を決定し、決定された通信方法を用いてアクセスポイントとの通信を行うことができる。したがって、ユーザーは、アクセスポイントとの通信方法を把握せずとも、容易且つ適切にアクセスポイントとの通信を行うことができる。
【図面の簡単な説明】
【００１９】
【図１】本発明の一実施形態に係るネットワークシステムの構成図である。
【図２】本発明の一実施形態に係る無線通信処理のフローチャートである。
【発明を実施するための形態】
【００２０】
本発明の実施形態について、図面を参照して説明する。なお、以下に説明する実施形態は特許請求の範囲に係る発明を限定するものではなく、また実施形態の中で説明されている諸要素及びその組み合わせの全てが発明の解決手段に必須であるとは限らない。
【００２１】
まず、本発明の一実施形態に係るネットワークシステムについて説明する。
【００２２】
図１は、本発明の一実施形態に係るネットワークシステムの構成図である。
【００２３】
ネットワークシステム１は、無線通信装置２と、１以上のアクセスポイント３とを有する。アクセスポイント３は、ネットワーク４に接続されている。アクセスポイント３は、例えば、所定時間毎に、自己のＳＳＩＤ（識別情報の一例）を含むビーコンを送信している。アクセスポイント３は、予め設定されている暗号化を用いた通信方法による無線通信が可能となっている。したがって、無線通信装置２がアクセスポイント３と通信をする場合には、当該アクセスポイント３のＳＳＩＤと、設定された通信方法における暗号化のセキュリティキーとを用いて、アクセスポイントに設定されている通信方法により通信を行う必要がある。
【００２４】
無線通信装置２は、例えば、ＰＣ（Personal Computer）であり、装置本体１０と、表示装置１１と、入力装置１２とを有する。表示装置１１は、例えば、液晶ディスプレイや、ＣＲＴディスプレイ等の画像を表示する装置である。入力装置１２は、例えば、マウス、キーボード等の無線通信装置２のユーザーからの入力を受け付けるための装置である。
【００２５】
装置本体１０において、ＣＰＵ（Central Processing Unit）１３と、ＲＯＭ（Read Only Memory）１４と、ＲＡＭ（Random Access Memory）１５と、ハードディスクドライブ（ＨＤＤ）１６と、表示処理部１７と、入力インターフェース部１８と、インターフェース部１９とがバス２１を介して接続されている。
【００２６】
ＲＯＭ１４は、ブートプログラム等の基本プログラムを記憶する。ＲＡＭ１５は、プログラムやデータを記憶する領域として、或いは、ＣＰＵ１３による処理に使用されるデータを格納する作業領域として利用される。ＨＤＤ１６は、ＯＳ（Operating System）プログラム、通信処理プログラム等の各種プログラムを読み出し可能に記憶する。
【００２７】
表示処理部１７は、ＣＰＵ１３の制御により、表示装置１１に画像を表示させるための表示用のデータ又は信号を生成し、表示装置１１に出力する。入力インターフェース部１８は、入力装置１２と接続されており、入力装置１２からの信号をデータとして、ＣＰＵ１３に渡す。インターフェース部１９は、ビーコン受信手段の一例としての無線通信部２０と接続されており、無線通信部２０とＣＰＵ１３との間のデータの仲介を行う。
【００２８】
無線通信部２０は、各種無線波を送受信する。本実施形態では、無線通信部２０は、アクセスポイント３の送信するビーコンを受信し、ＣＰＵ１３に渡す。例えば、無線通信部２０は、同一のＳＳＩＤであるが含まれる内容に違いがある複数種類のビーコン、すなわち、同一のＳＳＩＤが設定されている異なる複数のアクセスポイント３からのビーコンを受信した場合には、それぞれのビーコンをＣＰＵ１３に渡す。また、無線通信部２０は、指定された暗号化を用いた通信方法によるデータの送受信を実行する。具体的には、無線通信部２０は、指定されたアクセスポイントのＳＳＩＤ、セキュリティキーを用い、指定された暗号化を行う通信方法によりデータの送受信を行う。
【００２９】
本実施形態では、無線通信部２０が実行可能な通信方法としては、セキュリティ強度の高い暗号化を用いた通信方法から順に例をあげると、ＡＥＳの暗号化を用いる通信方法と、ＴＫＩＰの暗号化を用いる通信方法と、ＷＥＰの１２８ｂｉｔの暗号化を用いる通信方法と、ＷＥＰの６４ｂｉｔの暗号化を用いる通信方法とがある。ここで、ＡＥＳのセキュウリティキーは、キー長が８〜６３文字（ＡＳＣＩＩコード）であり、ＴＫＩＰのセキュリティキーは、キー長が８〜６３文字（ＡＳＣＩＩコード）であり、ＷＥＰの１２８ｂｉｔのセキュリティキーは、キー長が１３文字（ＡＳＣＩＩコード）であり、ＷＥＰの６４ｂｉｔのセキュリティキーは、キー長が５文字（ＡＳＣＩＩコード）である。
【００３０】
ＣＰＵ１３は、各部１４〜２０の動作を制御する。また、ＣＰＵ１３は、ＲＯＭ１４の基本プログラムやＨＤＤ１６に格納されているＯＳプログラム、無線通信プログラム等をＲＡＭ１５に読み出して実行することにより各種処理を実行する。
【００３１】
ＣＰＵ１３には、識別情報表示手段、選択受付手段、及びキー入力受付手段の一例としての入出力処理部１３ａと、ビーコン抽出処理部１３ｂと、通信方法決定手段及び通信制御手段の一例としての通信処理部１３ｃとが構築される。入出力処理部１３ａ、ビーコン抽出処理部１３ｂ及び通信処理部１３ｃは、主にＣＰＵ１３が無線通信プログラムを実行することにより構築される。
【００３２】
入出力処理部１３ａは、ビーコン抽出処理部１３ｂから通知されたアクセスポイント３のＳＳＩＤを、表示処理部１７を介して表示装置１１に表示させる。入出力処理部１３ａは、複数の異なるＳＳＩＤを受け取った場合には、複数のＳＳＩＤを表示させ、同一のＳＳＩＤ（同一のＳＳＩＤが付された複数のアクセスポイント３のＳＳＩＤ）を受け取った場合には、１つのＳＳＩＤとして表示させる。また、入出力処理部１３ａは、表示装置１１に表示させたＳＳＩＤの中から接続するアクセスポイントを示すＳＳＩＤの選択を、入力装置１２及び入力インターフェース部１８を介してユーザーから受け付け、通信処理部１３ｃに渡す。また、入出力処理部１３ａは、アクセスポイントとの接続の暗号化に用いるセキュリティキーの入力を、入力装置１２及び入力インターフェース部１８を介してユーザーから受け付け、通信処理部１３ｃに渡す。
【００３３】
ビーコン抽出処理部１３ｂは、無線通信部２０が受信したビーコンを受け取り、当該ビーコンからアクセスポイントのＳＳＩＤを抽出し、入出力処理部１３ａに渡す。
【００３４】
通信処理部１３ｃは、入出力処理部１３ａから受け取ったセキュリティキーに基づいて、所定のアクセスポイント３との接続で使用可能な暗号化を用いる複数の通信方法の中から、所定のアクセスポイント３との通信に用いる通信方法を決定する。本実施形態では、通信処理部１３ｃは、セキュリティキーのキー長に基づいて、セキュリティキーとして有効な暗号化を用いる通信方法を決定する。例えば、セキュリティキーのキー長が５文字である場合には、通信処理部１３ｃは、ＷＥＰの６４ｂｉｔを用いた通信方法であると決定する。また、セキュリティキーのキー長が８〜６３文字である場合には、通信処理部１３ｃは、ＡＥＳ、ＴＫＩＰ、又はＷＥＰの１２８ｂｉｔのいずれかを用いた通信方法であると決定する。
【００３５】
そして、通信処理部１３ｃは、無線通信部２０により、受け取ったＳＳＩＤ及びセキュリティキーを用いて、決定した通信方法により、アクセスポイント３との接続を試みる。なお、複数の通信方法を決定し、接続に成功しなかった場合には、決定した他の通信方法により、アクセスポイント３との接続を試みる。
【００３６】
通信処理部１３ｃは、アクセスポイント３との接続を試みた（行なった）結果、接続に成功した場合には、無線通信部２０を介してのアクセスポイント３との通信を行う際には、その接続におけるＳＳＩＤ、セキュリティキー、及び通信方法を用いる。
【００３７】
次に、本発明の一実施形態に係る無線通信装置における無線通信処理の動作について説明する。
【００３８】
図２は、本発明の一実施形態に係る無線通信処理のフローチャートである。
【００３９】
無線通信部２０は、周囲のアクセスポイント３から送信されているビーコンを受信し（ステップＳ１）、当該ビーコンをビーコン抽出処理部１３ｂに渡す。ビーコン抽出処理部１３ｂは、ビーコンからアクセスポイント３のＳＳＩＤを抽出し、入出力処理部１３ａに渡す。
【００４０】
入出力処理部１３ａは、受け取ったＳＳＩＤのリストを、表示処理部１７を介して表示装置１１に選択可能に表示させる（ステップＳ２）。次いで、入出力処理部１３ａは、入力装置１２を介してユーザーからＳＳＩＤの選択を受け付けたか否かを判定し（ステップＳ３）、選択を受け付けていない場合（ステップＳ３：ＮＯ）には、選択を受け付けるまで待つ。一方、ＳＳＩＤの選択を受け付けた場合（ステップＳ３：ＹＥＳ）には、入出力処理部１３ａは、ＳＳＩＤを通信処理部１３ｃに渡し、入力装置１２を介してユーザーからセキュリティキーの入力を受け付けたか否かを判定する（ステップＳ４）。
【００４１】
セキュリティキーを受け付けていない場合（ステップＳ４：ＮＯ）には、入出力処理部１３ａは、セキュリティキーの入力を受け付けるまで待つ一方、セキュリティキーの入力を受け付けた場合（ステップＳ４：ＹＥＳ）には、セキュリティキーを通信処理部１３ｃに渡す。
【００４２】
通信処理部１３ｃは、渡されたセキュリティキーのキー長を把握する（ステップＳ５）。セキュリティキーのキー長が５文字である場合（ステップＳ５：５文字）には、ＷＥＰの６４ｂｉｔを用いた通信方法であると決定できるので、通信処理部１３ｃは、渡されたＳＳＩＤ、セキュリティキーを用いたＷＥＰの６４ｂｉｔを用いた通信方法によって、無線通信部２０により、アクセスポイント３との接続を試みる（ステップＳ６）。
【００４３】
次いで、通信処理部１３ｃは、アクセスポイント３との接続が成功したか否かを判定し（ステップＳ７）、接続に成功した場合には、接続に成功した旨の成功メッセージを入出力処理部１３ａにより表示装置１１に表示させ（ステップＳ８）、当該ＳＳＩＤ及びセキュリティキーを用いたＷＥＰの６４ｂｉｔによる通信方法をアクセスポイント３との接続に用いる通信方法とする。一方、接続に失敗した場合には、通信処理部１３ｃは、入出力処理部１３ａにより接続に失敗した旨のエラーメッセージを表示装置１１に表示させる（ステップＳ９）。
【００４４】
セキュリティキーのキー長が８〜６３文字である場合（ステップＳ５：８〜６３文字）には、ＡＥＳ、ＴＫＩＰ、ＷＥＰの１２８ｂｉｔを用いた通信方法のいずれかであると決定できるので、通信処理部１３ｃは、セキュリティ強度の高い通信方法から順番にアクセスポイント３との接続を試みる。
【００４５】
まず、通信処理部１３ｃは、渡されたＳＳＩＤ、セキュリティキーを用いたＡＥＳを用いた通信方法によって、無線通信部２０により、アクセスポイント３との接続を試みる（ステップＳ１０）。次いで、通信処理部１３ｃは、アクセスポイント３との接続が成功したか否かを判定し（ステップＳ１１）、接続に成功した場合には、接続に成功した旨の成功メッセージを入出力処理部１３ａにより表示装置１１に表示させ（ステップＳ１２）、当該ＳＳＩＤ及びセキュリティキーを用いたＡＥＳによる通信方法をアクセスポイント３との接続に用いる通信方法とする。
【００４６】
一方、接続に失敗した場合（ステップＳ１１：ＮＯ）には、通信処理部１３ｃは、渡されたＳＳＩＤ、セキュリティキーを用いたＴＫＩＰを用いた通信方法によって、無線通信部２０により、アクセスポイント３との接続を試みる（ステップＳ１３）。次いで、通信処理部１３ｃは、アクセスポイント３との接続が成功したか否かを判定し（ステップＳ１４）、接続に成功した場合には、接続に成功した旨の成功メッセージを入出力処理部１３ａにより表示装置１１に表示させ（ステップＳ１５）、当該ＳＳＩＤ及びセキュリティキーを用いたＴＫＩＰによる通信方法をアクセスポイント３との接続に用いる通信方法とする。
【００４７】
一方、接続に失敗した場合（ステップＳ１４：ＮＯ）には、通信処理部１３ｃは、セキュリティキーのキー長が１３文字であるか否かを判定する（ステップＳ１６）。キー長が１３文字以外である場合（ステップＳ１６：１３文字以外）には、残された通信方法であるＷＥＰの１２８ｂｉｔの通信方法に有効なセキュリティキーではないので、通信処理部１３ｃは、接続に失敗した旨のエラーメッセージを入出力処理部１３ａにより表示装置１１に表示させる（ステップＳ１７）。
【００４８】
一方、キー長が１３文字である場合（ステップＳ１６：１３文字）には、通信処理部１３ｃは、渡されたＳＳＩＤ、セキュリティキーを用いたＷＥＰの１２８ｂｉｔを用いた通信方法によって、無線通信部２０により、アクセスポイント３との接続を試みる（ステップＳ１８）。
【００４９】
次いで、通信処理部１３ｃは、アクセスポイント３との接続が成功したか否かを判定し（ステップＳ１９）、接続に成功した場合には、接続に成功した旨の成功メッセージを入出力処理部１３ａにより表示装置１１に表示させ（ステップＳ２０）、当該ＳＳＩＤ及びセキュリティキーを用いたＷＥＰの１２８ｂｉｔによる通信方法をアクセスポイント３との接続に用いる通信方法とする。一方、接続に失敗した場合には、通信処理部１３ｃは、接続に失敗した旨のエラーメッセージを入出力処理部１３ａにより表示装置１１に表示させる（ステップＳ２１）。なお、セキュリティキーのキー長が６又は７文字である場合（ステップＳ５：６，７文字）には、無線通信部２０で使用可能な通信方法の暗号化に有効なセキュリティキーではないので、通信処理部１３ｃは、セキュリティキーが間違っている旨のエラーメッセージを入出力処理部１３ａにより表示装置１１に表示させる（ステップＳ２２）。
【００５０】
上記したように、本実施形態によると、ユーザーは、使用するセキュリティキーを入力することにより、使用する通信方法を指定しなくとも、容易且つ適切にアクセスポイント３との接続を行うことができる。
【００５１】
以上、本発明を実施形態に基づいて説明したが、本発明は上述した実施の形態に限られず、他の様々な態様に適用可能である。
【００５２】
例えば、上記実施形態では、予め決められた順番にしたがって通信方法を順次試すようにしていたが、本発明はこれに限られず、例えば、ＨＤＤ１６（記憶手段の一例）に、アクセスポイント３との接続に使用していた（成功していた）通信方法の情報を記憶しておき、通信処理部１３ｃは、ＨＤＤ１６に格納されている情報に基づいて、アクセスポイント３との接続において、使用していた通信方法を優先的に用いて接続するようにしてもよく、例えば、直前に用いていた通信方法を最初に試すようにしてもよい。
【００５３】
また、上記実施形態において、入出力処理部１３ａ（通信方法受付手段の一例）が入力装置１２を介してユーザーからアクセスポイントとの接続に用いる暗号化を用いた通信方法の指定を受け付けるようにし、通信処理部１３ｃは、当該暗号化を用いた通信方法の指定がある場合には、当該指定の暗号化による通信方法によりアクセスポイントとの接続を行い、通信方法の指定がない場合に、上記した図２のステップＳ５以降の処理により、アクセスポイントとの接続を行うようにしてもよい。
【００５４】
また、上記実施形態において、ＣＰＵ１３が実行していた処理機能の少なくとも一部を、無線通信部２０が実行するようにしてもよい。
【００５５】
また、上記実施形態では、セキュリティキーについて入力された文字をＡＳＣＩＩコードとして入力する例を示していたが、例えば、１６進数（ＨＥＸ形式）の値を入力するようにしてもよい。
【００５６】
また、上記実施形態においては、無線通信装置として、ＰＣを例に説明したが、無線通信装置はこれに限られず、例えば、プリンター、プロジェクター、ゲーム機、携帯ゲーム機であってもよく、要は、アクセスポイントとの無線接続が可能な無線通信装置であればよい。
【符号の説明】
【００５７】
１  ネットワークシステム、２  無線通信装置、３  アクセスポイント、４  ネットワーク、１０  装置本体、１１  表示装置、１２  入力装置、１３  ＣＰＵ、１３ａ  入出力処理部、１３ｂ  ビーコン抽出処理部、１３ｃ  通信処理部、１４  ＲＯＭ、１５  ＲＡＭ、１６  ＨＤＤ、１７  表示処理部、１８  入力インターフェース部、１９  インターフェース部、２０  無線通信部、２１  バス。
【図１】
2011139238.tif 000003
【図２】
2011139238.tif 000004